(57)【要約】【課題】無線通信端末に対して適切な上りデータ送信帯域の割り当てをすることができる無線通信基地局、無線通信システム、および無線通信基地局の制御方法を提供する。【解決手段】無線通信端末の上りデータ用送信バッファに滞留しているデータ量の報告に基づいて無線通信端末が送信するデータの送信帯域を割り当てることができる無線通信基地局１は、無線通信端末から送信されたデータを受信する受信部２０と、受信部２０が受信したデータのスループットを計算する計算部４０と、計算部４０が計算したデータのスループットに基づいて無線通信端末の上りデータ用送信バッファに滞留しているデータ量を推定する推定部５０と、推定部５０が推定した上りデータ用送信バッファに滞留しているデータ量に基づいて無線通信端末が送信するデータの送信帯域を割り当てる割当部６０と、を備える。【選択図】図１
2013223181.tif 000002
【特許請求の範囲】
【請求項１】
無線通信端末の上りデータ用送信バッファに滞留しているデータ量の報告に基づいて、当該無線通信端末が送信するデータの送信帯域を割り当てることができる無線通信基地局であって、
無線通信端末から送信されたデータを受信する受信部と、
前記受信部が受信したデータのスループットを計算する計算部と、
前記計算部が計算した前記データのスループットに基づいて、当該無線通信端末の上りデータ用送信バッファに滞留しているデータ量を推定する推定部と、
前記推定部が推定した上りデータ用送信バッファに滞留しているデータ量に基づいて、前記無線通信端末が送信するデータの送信帯域を割り当てる割当部と、
を備えることを特徴とする無線通信基地局。
【請求項２】
無線通信端末と、当該無線通信端末の上りデータ用送信バッファに滞留しているデータ量の報告に基づいて、当該無線通信端末が送信するデータの送信帯域を割り当てることができる無線通信基地局と、を含む無線通信システムであって、
前記無線通信基地局は、
前記無線通信端末から送信されたデータを受信する受信部と、
前記受信部が受信したデータのスループットを計算する計算部と、
前記計算部が計算した前記データのスループットに基づいて、当該無線通信端末の上りデータ用送信バッファに滞留しているデータ量を推定する推定部と、
前記推定部が推定した上りデータ用送信バッファに滞留しているデータ量に基づいて、前記無線通信端末が送信するデータの送信帯域を割り当てる割当部と、
を備えることを特徴とする、無線通信システム。
【請求項３】
無線通信端末の上りデータ用送信バッファに滞留しているデータ量の報告に基づいて、当該無線通信端末が送信するデータの送信帯域を割り当てることができる無線通信基地局の制御方法であって、
無線通信端末から送信されたデータを受信する受信ステップと、
前記受信ステップで受信したデータのスループットを計算する計算ステップと、
前記計算ステップで計算した前記データのスループットに基づいて、当該無線通信端末の上りデータ用送信バッファに滞留しているデータ量を推定する推定ステップと、
前記推定ステップで推定した上りデータ用送信バッファに滞留しているデータ量に基づいて、前記無線通信端末が送信するデータの送信帯域を割り当てる割り当てステップと、
を含むことを特徴とする無線通信基地局の制御方法。
【発明の詳細な説明】
【技術分野】
【０００１】
本発明は、無線通信基地局、無線通信システム、および無線通信基地局の制御方法に関するものである。
【背景技術】
【０００２】
近年、国際標準化団体３ＧＰＰ（3rd Generation Partnership Project）は、第３世代移動通信システムについて検討を進めるとともに、その標準仕様を精力的に策定している。３ＧＰＰでは、無線通信の際のピーク伝送速度、伝送効率及び伝送遅延のそれぞれについて、大幅な向上を実現するための無線アクセス方式および無線アクセスネットワークについて検討が進められている。このようにして検討された技術は、Evolved UTRA若しくはLong Term Evolution（ＬＴＥ）等と称されている。ＬＴＥにおいては、無線基地局ｅＮＢから移動局ＵＥへのデータの送信を下りリンク（downlink）と称し、移動局ＵＥから無線基地局ｅＮＢへのデータの送信を上りリンク（uplink）と称する。
【０００３】
ＬＴＥでは、上りリンクの無線リソース制御方法として、無線基地局ｅＮＢと移動局ＵＥとの間で終端される物理レイヤおよびＭＡＣサブレイヤにおいて、高速な上り無線リソース割当制御が仕様化されつつある。
【０００４】
具体的には、無線基地局ｅＮＢにおける上りスケジューラは、サブフレーム（あるいはＴＴＩ（Transmission Time Interval））ごとに、スケジューリングに関する各種の事項を決定する。例えば、無線基地局ｅＮＢの上りスケジューラは、上り無線リソースを割り当てる移動局ＵＥと、当該移動局ＵＥに対して割り当てる物理リソース（周波数リソース）と、当該移動局に対して送信を許可するデータ量とを決定する。これらの事項が決定されたら、無線基地局ｅＮＢの上りスケジューラは、L1/L2 control channel（UL grant）を送信することによって、それらの決定内容を移動局ＵＥに通知する。
【０００５】
この際、無線基地局ｅＮＢは、上り無線リソースのスケジューリングを効率良く行うために、移動局ＵＥにおける（上りデータ用）送信バッファに滞留されているデータ量を把握する必要がある。
【０００６】
ＬＴＥでは、このようなデータ量を「Buffer Status Report」（ＢＳＲ）として、移動局ＵＥが、無線基地局ｅＮＢに対して、当該無線基地局ｅＮＢによって当該移動局に対して個別に割り当てられた上り無線リソースを用いて報告するように構成されている。ここで、ＢＳＲが送信される上り無線リソースとは、具体的には、上り共有チャネル（ＵＬ-ＳＣＨ）である。無線基地局ｅＮＢは、L1/L2 control channel（UL grant）を用いて、移動局ＵＥに対して、ＵＬ-ＳＣＨの割り当てを行う。さらに、ＢＳＲの中身としては、無線ベアラ（Radio Bearer）または論理チャネル（Logical Channel）群ごとの移動局ＵＥの送信バッファに滞留されているデータ量を示すことが規定されている。
【先行技術文献】
【非特許文献】
【０００７】
【非特許文献１】３ＧＰＰ  ＴＳ３６．３００
【非特許文献２】３ＧＰＰ  ＴＳ３６．３２１
【発明の開示】
【発明が解決しようとする課題】
【０００８】
上述した非特許文献２において、ＬＴＥの移動局ＵＥの上りデータ用バッファに滞留しているデータ量（以下、適宜「上り滞留データ量」と略記する）の報告に関する規定がある。しかしながら、３ＧＰＰでは、移動局ＵＥの上り滞留データ量報告に基づいて、基地局ｅＮＢがどのような上りデータ送信帯域の割り当てを行うか、また、上り滞留データ量を推定する方法については記載されていない。したがって、これらの上りデータ送信帯域割当てや上り滞留データ量の推定は、オペレータや基地局ベンダによって異なる実装がされるものと考えられる。例えば、移動局ＵＥからの上り滞留データ量報告に従って、データ送信帯域の割り当てを行う等の手法を想定することができる。
【０００９】
しかしながら、このような手法によると、移動局ＵＥから上り滞留データ量報告が送信されていない場合には、基地局ｅＮＢにおいてデータ送信帯域の割り当てを適切に行うことができない事態が生じ得る。例えば、移動局ＵＥから上り滞留データ量報告が送信されない場合、移動局ＵＥの上りデータ用バッファに滞留しているデータが減少した結果もはや存在しなくなったような場合でも、基地局ｅＮＢにおいてデータ送信帯域の割り当ては依然として変更されない。したがって、このような場合、本来であれば他の移動局ＵＥに対して割り当てることができるデータ送信帯域が、もとの移動局ＵＥに割り当てられたままになるため、帯域の割り当てに無駄が生じ得る。そして、次の上り滞留データ量報告が移動局ＵＥから基地局ｅＮＢに送信されるまでは、このような無駄が生じている状態が続くものと想定される。
【００１０】
したがって、かかる事情に鑑みてなされた本発明の目的は、無線通信端末に対して適切な上りデータ送信帯域の割り当てをすることができる無線通信基地局、無線通信システム、および無線通信基地局の制御方法を提供することにある。
【課題を解決するための手段】
【００１１】
上記目的を達成する第１の観点に係る発明は、
無線通信端末の上りデータ用送信バッファに滞留しているデータ量の報告に基づいて、当該無線通信端末が送信するデータの送信帯域を割り当てることができる無線通信基地局であって、
無線通信端末から送信されたデータを受信する受信部と、
前記受信部が受信したデータのスループットを計算する計算部と、
前記計算部が計算した前記データのスループットに基づいて、当該無線通信端末の上りデータ用送信バッファに滞留しているデータ量を推定する推定部と、
前記推定部が推定した上りデータ用送信バッファに滞留しているデータ量に基づいて、前記無線通信端末が送信するデータの送信帯域を割り当てる割当部と、
を備えることを特徴とするものである。
【００１２】
また、上記目的を達成する第２の観点に係る発明は、
無線通信端末と、当該無線通信端末の上りデータ用送信バッファに滞留しているデータ量の報告に基づいて、当該無線通信端末が送信するデータの送信帯域を割り当てることができる無線通信基地局と、を含む無線通信システムであって、
前記無線通信基地局は、
前記無線通信端末から送信されたデータを受信する受信部と、
前記受信部が受信したデータのスループットを計算する計算部と、
前記計算部が計算した前記データのスループットに基づいて、当該無線通信端末の上りデータ用送信バッファに滞留しているデータ量を推定する推定部と、
前記推定部が推定した上りデータ用送信バッファに滞留しているデータ量に基づいて、前記無線通信端末が送信するデータの送信帯域を割り当てる割当部と、
を備えることを特徴とするものである。
【００１３】
さらに、上記目的を達成する第３の観点に係る発明は、
無線通信端末の上りデータ用送信バッファに滞留しているデータ量の報告に基づいて、当該無線通信端末が送信するデータの送信帯域を割り当てることができる無線通信基地局の制御方法であって、
無線通信端末から送信されたデータを受信する受信ステップと、
前記受信ステップで受信したデータのスループットを計算する計算ステップと、
前記計算ステップで計算した前記データのスループットに基づいて、当該無線通信端末の上りデータ用送信バッファに滞留しているデータ量を推定する推定ステップと、
前記推定ステップで推定した上りデータ用送信バッファに滞留しているデータ量に基づいて、前記無線通信端末が送信するデータの送信帯域を割り当てる割り当てステップと、
を含むことを特徴とするものである。
【発明の効果】
【００１４】
本発明によれば、無線通信端末に対して適切な上りデータ送信帯域の割り当てをすることができる無線通信基地局、無線通信システム、および無線通信基地局の制御方法を提供することができる。
【図面の簡単な説明】
【００１５】
【図１】本発明の実施形態に係る無線通信基地局の概略構成を示す機能ブロック図である。
【図２】本発明の実施形態に係る無線通信基地局の処理を説明するフローチャートである。
【図３】本発明の実施形態に係る無線通信基地局による処理の効果を説明する図である。
【発明を実施するための形態】
【００１６】
以下、本発明の実施形態について、図面を参照して説明する。以下の説明において、本発明の実施形態に係る無線通信基地局および無線通信端末を含む無線通信システムは、ＬＴＥシステムであることを想定して説明する。また、以下に説明する本発明の実施形態では、無線通信端末（移動局）ＵＥとして、携帯電話端末を想定して説明する。また、本発明の実施形態では、無線通信基地局ｅＮＢとして、当該携帯電話端末と無線通信を行う無線通信基地局を想定して説明する。しかしながら、本発明は、ＬＴＥシステムにおいて使用される無線通信基地局および無線通信端末に限定されるものではなく、また携帯電話端末および無線通信基地局に限定されるものでもない。本発明は、無線通信端末の上りデータ用送信バッファに滞留しているデータ量の報告に基づいて、当該無線通信端末が送信するデータの送信帯域を割り当てる無線通信基地局を含む無線通信システムにおいて、種々の通信装置に適用することができる。
【００１７】
図１は、本発明の一実施形態に係る無線通信基地局の概略構成の例を示す図である。
【００１８】
図１に示すように、本発明の一実施形態に係る無線通信基地局１は、アンテナ１０、無線通信部２０、データデコード部３０、スループット計算部４０、上り滞留データ量推定部５０、スケジューリング部６０、および制御部７０を備えている。
【００１９】
アンテナ１０は、無線通信基地局１が無線通信端末と無線通信を行う際に、当該無線通信端末からの電波を受信する。無線通信部２０は、アンテナ１０を介して無線通信端末からの信号を受信する。また、無線通信部２０は、アンテナ１０を介して無線通信端末に信号を送信する。
【００２０】
本実施形態においては、特に、無線通信部２０が無線通信端末からの信号を受信する場面を中心に説明する。したがって、本実施形態においては、無線通信部２０は受信部を構成する。すなわち、受信部を構成する無線通信部２０は、無線通信端末から送信されたデータを受信する。無線通信部２０が受信したデータは、データデコード部３０に供給される。
【００２１】
データデコード部３０は、無線通信部２０が受信した信号をデコードする。また、データデコード部３０は、受信した信号をデコードすることにより、受信した上りデータの構成を把握することができる。データデコード部３０がデコードしたデータは、制御部７０、スループット計算部４０、および上り滞留データ量推定部５０に供給される。
【００２２】
スループット計算部４０は、データデコード部３０がデコードしたデータのスループットを計算により算出する。したがって、本実施形態においては、スループット計算部４０は計算部を構成する。すなわち、計算部を構成するスループット計算部４０は、受信部が受信したデータのスループットを計算する。なお、スループット計算部４０によるデータのスループットの計算は後述する。スループット計算部４０が計算したスループットの情報は、上り滞留データ量推定部５０に供給される。
【００２３】
上り滞留データ量推定部５０は、データデコード部３０がデコードしたデータの構成、およびスループット計算部４０が計算したスループットの情報などに基づいて、無線通信端末における上り滞留データ量を推定する。したがって、本実施形態においては、上り滞留データ量推定部５０は推定部を構成する。すなわち、推定部を構成する上り滞留データ量推定部５０は、計算部が計算したデータのスループットに基づいて、無線通信端末の上りデータ用送信バッファに滞留しているデータ量を推定する。上り滞留データ量推定部５０が推定した上り滞留データ量の情報は、スケジューリング部６０に供給される。
【００２４】
スケジューリング部６０は、上り滞留データ量推定部５０が推定した上り滞留データ量の情報に基づいて、上りデータ送信帯域の割当てを決定する。したがって、本実施形態においては、スケジューリング部６０は割当部を構成する。すなわち、割当部を構成するスケジューリング部６０は、推定部が推定した上りデータ用送信バッファに滞留しているデータ量に基づいて、無線通信端末が送信するデータの送信帯域を割り当てる。
【００２５】
制御部７０は、無線通信基地局１の各機能部を始めとして、無線通信基地局１の全体を制御および管理する。
【００２６】
次に、無線通信基地局１が行う上りデータ送信帯域の割り当て処理を説明する。
【００２７】
図２は、無線通信基地局１の処理を説明するフローチャートである。なお、以下の説明において、無線通信端末の上り滞留データ量報告を、適宜ＵＬＢＳＲ(Uplink Buffer Status Report)と略記する。また、本実施形態において、無線通信基地局１と通信を行う無線通信端末は、無線通信基地局１が割り当てた上りデータ送信帯域を使用して上りデータを送信する際、上りユーザデータと同時に、ＵＬＢＳＲ等の制御情報を送信することができるものとする。このような無線通信端末は、３ＧＰＰで仕様が策定された移動局ＵＥを用いることができるため、無線通信端末については、以下、詳細な説明を省略する。
【００２８】
図２に示す処理が開始すると、まず、無線通信基地局１の制御部７０は、受信部である無線通信部２０が接続中の無線通信端末からＵＬＢＳＲを受信するように制御する（ステップＳ１１）。ステップＳ１１においてＵＬＢＳＲを受信したら、制御部７０は、受信したＵＬＢＳＲに基づいて上りデータ送信帯域を割り当てるようにスケジューリング部６０を制御する（ステップＳ１２）。ここで、スケジューリング部６０が上りデータ送信帯域を割り当てる際には、例えば、受信したＵＬＢＳＲに従って割り当てを行うなどのスケジューリングを行うことができる。
【００２９】
ステップＳ１２において上りデータ送信帯域が割り当てられたら、制御部７０は、割り当てられた上りデータ送信帯域を用いて無線通信端末から送信される上りデータを受信するように制御する（ステップＳ１３）。
【００３０】
ステップＳ１３において無線通信端末から送信される上りデータを受信したら、制御部７０は、受信してデータデコード部３０がデコードした上りデータの中に、ＵＬＢＳＲが含まれているか否かを判定する（ステップＳ１４）。ステップＳ１４において上りデータの中にＵＬＢＳＲが含まれている場合、制御部７０は、当該ＵＬＢＳＲに基づいて、無線通信端末における上りデータ用送信バッファに滞留されているデータ（上り滞留データ）が存在するか否かを判定する（ステップＳ１５）。
【００３１】
ステップＳ１５において上り滞留データが存在すると判定された場合、制御部７０は、受信したＵＬＢＳＲに基づいて上りデータ送信帯域を割り当てるようにスケジューリング部６０を制御する（ステップＳ１６）。ここで、スケジューリング部６０が上りデータ送信帯域を割り当てる際には、例えば、受信したＵＬＢＳＲに従って割り当てを行うなどのスケジューリングを行うことができる。ステップＳ１６において上りデータ送信帯域が割り当てられたら、制御部７０は、ステップＳ１３に戻って、割り当てられたスケジューリングに従って上りデータを受信する。すなわち、無線通信端末から送信された上りデータの中にＵＬＢＳＲがあり、上り滞留データが存在すると認識できる場合、無線通信基地局１は、認識した上り滞留データを考慮して上りデータ送信帯域を割り当てて、上りデータを受信する。
【００３２】
一方、ステップＳ１４において受信した上りデータの中にＵＬＢＳＲが含まれていない場合、制御部７０は、受信してデータデコード部３０がデコードした上りデータの中に、ユーザデータが含まれているか否かを判定する（ステップＳ１７）。
【００３３】
ステップＳ１７においてユーザデータが含まれていないと判定された場合、制御部７０は、直ちに当該無線通信端末への上りデータ送信帯域の割当てを停止するようにスケジューリング部６０を制御する（ステップＳ１８）。このように、受信した上りデータの中にＵＬＢＳＲもユーザデータも含まれていない場合、当該上りデータの内容は、ＵＬＢＳＲ以外の制御情報のみであると想定されるため、この場合、上りユーザデータは滞留していないと見なして処理を行うことができる。
【００３４】
また、ステップＳ１５において上り滞留データが存在しないと判定された場合も、制御部７０は、直ちに当該無線通信端末への上りデータ送信帯域の割当てを停止するようにスケジューリング部６０を制御する（ステップＳ１８）。このように、受信したＵＬＢＳＲによって上り滞留データが存在しないことが認識できる場合には、当該無線通信端末からの報告値に従って、直ちに当該無線通信端末への上りデータ送信帯域割当てを停止する。
【００３５】
一方、無線通信基地局１が割り当てた上りデータ送信帯域を使用して、無線通信端末が送信するＵＬＢＳＲを含まない上りデータを受信した場合、無線通信基地局１は、無線通信端末からの報告値に従った上りデータ送信帯域の割当てができない。このような場合、本実施の形態においては、無線通信端末から受信したユーザデータ量に基づいて、前回受信したＵＬＢＳＲが示す上りデータ量よりも、上り滞留データ量が増えているか減っているかを推定し、次の上りデータ送信帯域割当てサイズの決定に使用する。
【００３６】
このため、ステップＳ１４において受信した上りデータの中にＵＬＢＳＲが含まれておらず、ステップＳ１７において当該上りデータにユーザデータが含まれていると判定された場合、制御部７０は、ステップＳ１９の処理を行う。ステップＳ１９においては、制御部７０は、受信した上りデータのスループットを計算するようにスループット計算部４０を制御する。具体的には、例えば、受信した上りデータのサイズと、その上りデータから制御情報およびパディングを除いたサイズ（すなわちユーザデータサイズ）とを計算したものに基づいて、受信した上りデータのスループットを計算することができる。このように、受信した上りデータのスループットは、無線通信端末から送信された上りデータのサイズおよび上りデータに含まれるパディングから計算することができる。すなわち、上りデータにパディングが含まれる場合は上り滞留データ量は少ないものと推定され、上りデータにパディングが含まれない場合は上り滞留データ量は多いものと推定される。
【００３７】
ここで、上りデータのスループットの計算は、上りデータを受信する毎に行えば、より正確にスループットの変化に追随できる。しかしながら、このスループットの計算は、処理負荷を分散させるため、定期的に行うようにしてもよいし、処理負荷が低くなったときに行うようにしてもよい。
【００３８】
ステップＳ１９においてスループットが計算されたら、制御部７０は、当該計算されたスループットから、上り滞留データ量を推定するように上り滞留データ量推定部５０を制御する（ステップＳ２０）。具体的には、例えば、ステップＳ２０におけるスループットの計算の結果、スループットが向上していれば上り滞留データ量は増えていると推定し、逆にスループットが低下していれば上り滞留データ量は減っていると推定することができる。
【００３９】
ステップＳ２０において上り滞留データ量が推定されたら、制御部７０は、推定された上り滞留データ量に基づいて、上りデータ送信帯域を割り当てるようにスケジューリング部６０を制御する（ステップＳ２１）。ここで、スケジューリング部６０が上りデータ送信帯域を割り当てる際には、例えば、推定された上り滞留データ量に従って割り当てを行うなどのスケジューリングを行うことができる。
【００４０】
ステップＳ２１において上りデータ送信帯域が割り当てられたら、制御部７０は、ステップＳ１３に戻って、割り当てられたスケジューリングに従って上りデータを受信する。このようにして、本実施の形態では、無線通信基地局１と接続している無線通信端末において、上り滞留データが存在しないと判断されるまで、スループットの計算および上り滞留データ量の推定を行い、その結果に基づいて上りデータ送信帯域の割当てを行う。なお、本実施の形態において、無線通信基地局１は、上述のような処理を、無線通信基地局１と接続している各無線通信端末ごとに行う。
【００４１】
次に、無線通信基地局１が行う上りデータ送信帯域の割り当て処理の効果を説明する。
【００４２】
図３（Ａ）および（Ｂ）は、従来の無線通信基地局によってＢＳＲの推定を行わない場合と、本実施形態による無線通信基地局１によって上述したＢＳＲの推定を行う場合において、それぞれ割り当てられる上りデータの例を示す図である。図３（Ａ）および（Ｂ）の双方ともに、最初のＢＳＲによって、無線通信基地局と接続している無線通信端末において３００バイトの上りデータが滞留しているという報告を受信した場合の例を示す。また、図３（Ａ）および（Ｂ）の双方ともに、上から下へと時間が経過するとした場合の各数値の変化を表している。
【００４３】
図３（Ａ）は、従来の無線通信基地局によってＢＳＲの推定を行わない場合に、無線通信端末に割り当てられる上りデータの例を示す図である。従来、ＢＳＲの推定を行わない場合、無線通信端末が更新したＢＳＲを報告してこない限り、無線通信基地局は、ＢＳＲがどのように変化したか知る術がない。図３（Ａ）は、最初に報告された上り滞留データ量報告が３００バイトであったため、その後もＢＳＲが３００バイトに維持されている様子を示している。
【００４４】
この場合、図３（Ａ）に示すように、無線通信端末から送信された（または無線通信基地局が受信した）実際の上りデータが途中で８０バイトから減少してゼロになった後も、無線通信基地局は、依然として上りデータの割り当てを８０バイトに維持する。このような上りデータの割り当てが行われると、送信された実際の上りデータが途中からなくなっている、すなわち上り滞留データが途中からなくなっているにもかかわらず、上りデータの割り当てが維持され、帯域が無駄に使用されることになる。
【００４５】
一方、図３（Ｂ）は、本実施形態による無線通信基地局１によって上述したＢＳＲの推定を行う場合に、無線通信端末に割り当てられる上りデータの例を示す図である。上述したＢＳＲの推定を行う場合、無線通信基地局１は、無線通信端末が更新したＢＳＲを報告してこなくても、ＢＳＲの変化を推定する。
【００４６】
例えば、図３（Ｂ）においても、途中までは図３（Ａ）と同様に、推定されたＢＳＲは３００バイトに維持され、上りデータとして８０バイトが割り当てられている。このような割り当て処理により、図３（Ｂ）に示すように、ある時点までは、実際の上りデータとして８０バイトが送信されている。
【００４７】
ここで、図３（Ｂ）に示すように、上りデータとして８０バイトが割り当てられているにもかかわらず、ある時点において送信された実際の上りデータが８０バイトから６０バイトに減ったとする。このように、上りデータの割り当てに対して送信された実際の上りデータ量が少なかった場合、端末に滞留している上りデータが減ったと考えることができる。したがって、このような場合、図３（Ｂ）に示すように、無線通信基地局１は、無線通信端末から更新したＢＳＲが送信されなくても、独自にＢＳＲ値を推定して、推定されたＢＳＲを例えば３００バイトから６０バイトに更新する。図３（Ｂ）においては、推定されたＢＳＲが６０バイトに更新されたことに伴い、無線通信基地局１が、当該無線通信端末に割り当てる上りデータも６０バイトに減らしている様子を示している。
【００４８】
この後、図３（Ｂ）に示すように、上りデータとして６０バイトが割り当てられているにもかかわらず、ある時点において送信された実際の上りデータが６０バイトから０バイトに減った、すなわち上り滞留データがなくなったとする。このような場合、図３（Ｂ）に示すように、無線通信基地局１は、推定されたＢＳＲを例えば６０バイトから０バイトに更新する。図３（Ｂ）においては、推定されたＢＳＲが０バイトに更新されたことに伴い、無線通信基地局１が、当該無線通信端末に割り当てる上りデータも０バイトに減らした、すなわち当該無線通信端末に上りデータを割り当てないようにした様子を示している。
【００４９】
このように、本実施形態によれば、実際のスループットに応じて上り滞留データ量を推定することにより、適切な上りデータ送信帯域割当てを行うことができる。したがって、本実施形態によれば、帯域が無駄に使用されることを抑制することができる。また、本実施形態によれば、無線通信基地局が複数の無線通信端末と通信する際に、送信帯域の割当てが、特定の無線通信端末に偏らないようにして通信を行なうことができる。
【００５０】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部材、各手段、各ステップなどに含まれる機能などは論理的に矛盾しないように再配置可能であり、複数の手段やステップなどを１つに組み合わせたり、或いは分割したりすることが可能である。
【符号の説明】
【００５１】
１  無線通信基地局
１０  アンテナ
２０  無線通信部
３０  データデコード部
４０  スループット計算部
５０  上り滞留データ量推定部
６０  スケジューリング部
７０  制御部
【図１】
2013223181.tif 000003
【図２】
2013223181.tif 000004
【図３】
2013223181.tif 000005